(57)【特許請求の範囲】
【請求項１】
内部にガス流路が貫通するように形成される通管と；
長さ方向に移動可能に装着される撃発ピンと、
押圧作動時に前記撃発ピンを前記通管側に移動させるためのスイッチ片を具備し、前記通管の上端に組み込まれる撃発ユニットと；
前記撃発ユニットの上端にガス容器を介在して螺着され、回転作動時に前記ガス容器を前記撃発ピン側に密着するように移動させる締め付けキャップと；
前記通管の下端に結合され、便器の配水管に挿入される密着具と；を備える
ことを特徴とする便器パージング装置。
【請求項２】
前記撃発ピンの下部には、係止バーが垂直するように連結され、
前記撃発ユニットには、前記スイッチ片の押圧作動時に前記係止バーを撃発ユニットの幅方向に案内する第１撃発流路と、前記第１撃発流路に折り曲げられるように連結され、ガス圧によって前記係止バーを前記通管方向に案内する第２撃発流路が設けられる
請求項１に記載の便器パージング装置。
【請求項３】
前記撃発ユニットの上端には、前記ガス容器が挿入される保持溝部が形成され、前記撃発ユニットの内部には、前記撃発ピンが移動するガス流路が前記保持溝部に連通し、長さ方向に延長形成される
請求項１に記載の便器パージング装置。
【請求項４】
前記スイッチ片は、スイッチ復元スプリングを媒介で撃発ユニットに弾性的に連結され、前記撃発ピンは、撃発復元スプリングによって前記撃発ユニットに弾性的に支持される
請求項１に記載の便器パージング装置。
【請求項５】
前記撃発ユニットには、先端が撃発ユニットの保持溝部が突出するように設置され、前記撃発ピンに対するガス容器の密着時に前記ガス容器によって加圧されるスイッチ部と、電源印加時に点灯するランプ部と、前記ガス容器によるスイッチ部の加圧時に前記ランプ部に電源を供給する電源回路部が設けられる
請求項１に記載の便器パージング装置。
【請求項６】
前記ガス容器からガス噴射が完了した後、撃発復元スプリングの復元力によって前記係止バーは、前記第２撃発流路の上を縦方向に上向き移動した後、
前記係止バーが前記第１撃発流路の上を移動し、元の位置に復帰することができるように前記撃発ユニットには、“Ｚ”字状の誘導スプリングが設けられる
請求項２に記載の便器パージング装置。
【発明の詳細な説明】
【技術分野】
【０００１】
本発明は、便器パージング装置に関し、詳細には、ガス噴射前に撃発を準備した状態で、スイッチ動作を通じてガス噴射が行われる構成を通じて、ガスを正確な時点及び地点に噴射することができる便器パージング装置に関する。
【背景技術】
【０００２】
排水口及び便器の詰まりを解消させるために、一般的に棒形状の支持棒の端部にゴム材で成形した圧着片を排水口及び便器の排出口に配置した後、支持棒を上下移動させながら発生する圧力で排水口及び便器の詰まりを貫通させる。
【０００３】
しかし、支持棒を上下移動させる過程で、圧着片が裏返されるか、または支持棒を通じて発生した圧力が弱い場合には、排水口及び便器の排出口の貫通作業を円滑に行うことができないという問題があった。
このような問題を解決するための従来技術としては、特許文献１がある。
【０００４】
図１に示されたように、従来、便器用貫通装置は、入口が密閉板１１４によって密閉され、内部に一定量のガスが貯蔵されるガス容器１１０と、ガスが通過することができるように内部に長さ方向に沿って貫通される移動通路が設けられ、ガス容器１１０の入口側が密着されることができるように上部端から一定の深さで凹設されるガス容器挿入部が設けられる本体１２０と、ガス容器挿入部の中央部に配置され、密閉板を貫通させて、ガス容器１１０に貯蔵されたガスが前記移動通路側に放出されることができるようにする撃発ピン１３０と、ガス容器１１０の入口反対側が収容されることができるように内部空間を有していて、本体１２０の開放された上部側を覆うことができるように本体１２０の上部側と螺着され、ユーザの回転操作時にねじ移動を通じてガス容器１１０を撃発ピン１３０側に移動させるカバー部１４０と、本体１２０の下部端に連結され、移動通路に沿って放出されるガスを配水管側に案内する密着部１５０とで構成される。
【０００５】
すなわち、便器用貫通装置の密着部１５０を便器のＳトラップに挿入させた後、カバー部１４０を回転させて、ガス容器１１０に貯蔵された高圧のガスがＳトラップ側に噴射されるようにして、瞬間的な高圧によって配水管が貫通されるようにする。
【０００６】
しかし、このような従来技術の場合、カバー部が回転しながらガスが高圧で噴射されるので、密着部を便器のＳトラップに正確に挿入しても、カバー部が回転して噴射される過程で、ガスの噴射方向が所望の方向に噴射されないという問題があった。
【０００７】
また、カバー部の回転が始まる時点とカバー部の回転が完了する時点（ガス噴射時点）との間に一定時間が所要されるので、ユーザは、ガス噴射時点を正確に予測しにくいため、ガス噴射時にガスの噴射騒音に驚いたりする問題があった。
【先行技術文献】
【特許文献】
【０００８】
【特許文献１】「便器用貫通装置」韓国特許登録第１０−1033053号
【発明の概要】
【発明が解決しようとする課題】
【０００９】
このような問題点を解決するために、本発明の目的は、ガス噴射時点を正確に予測することができ、ガスを正確な地点に噴射することができる便器パージング装置を提供することにある。
【課題を解決するための手段】
【００１０】
前記目的を達成するために、本発明による便器パージング装置は、内部にガス流路が貫通するように形成される通管と；長さ方向に移動可能に装着される撃発ピンと、押圧作動時に前記撃発ピンを前記通管側に移動させるためのスイッチ片を具備し、前記通管の上端に組み込まれる撃発ユニットと；前記撃発ユニットの上端にガス容器を介在して螺着され、回転作動時に前記ガス容器を前記撃発ピン側に密着するように移動させる締め付けキャップと；前記通管の下端に結合され、便器の配水管に挿入される密着具と；を含み、前記撃発ユニットには、先端が撃発ユニットの保持溝部が突出するように設置され、前記撃発ピンに対するガス容器の密着時に前記ガス容器によって加圧されるスイッチ部と、電源印加時に点灯されるランプ部と、前記ガス容器によるスイッチ部の加圧時に前記ランプ部に電源を供給する電源回路部が設けられることを特徴とする。
【００１１】
前記撃発ピンの下部には、係止バーが垂直するように連結され、前記撃発ユニットには、前記スイッチ片の押圧作動時に前記係止バーを撃発ユニットの幅方向に案内する第１撃発流路と、前記第１撃発流路に折り曲げられるように連結され、ガス圧によって前記係止バーを前記通管方向に案内する第２撃発流路が設けられることを特徴とする。
【００１２】
前記撃発ユニットの上端には、前記ガス容器が挿入される保持溝部が形成され、前記撃発ユニットの内部には、前記撃発ピンが移動するガス流路が前記保持溝部に連通し、長さ方向に延長形成されることを特徴とする。
【００１３】
前記スイッチ片は、スイッチ復元スプリングを媒介で撃発ユニットに弾性的に連結され、前記撃発ピンは、撃発復元スプリングによって前記撃発ユニットに弾性的に支持されることを特徴とする。
【００１４】
前記ガス容器からガス噴射が完了した後、前記撃発復元スプリングの復元力によって前記係止バーは、前記第２撃発流路の上を縦方向に上向き移動した後、前記係止バーが前記第１撃発流路の上を移動し、元の位置に復帰することができるように、前記撃発ユニットには、“Ｚ”字状の誘導スプリングが設けられることを特徴とする。
【発明の効果】
【００１５】
本発明によれば、次のような顕著な効果が具現されることができる。
第一に、本発明は、ガスの噴射前に撃発準備状態を維持した後、スイッチ動作を通じてガス噴射が行われる構造であるので、ユーザは、ガス噴射時点を正確に予測した後、ガスを正確な地点に噴射することができるという利点がある。
【００１６】
第二に、本発明は、ランプ部を通じてガスの噴射前である撃発準備状態を確認することができるので、安全で且つ便利に排水口及び便器の詰まりを貫通させることができるという利点がある。
【００１７】
第三に、本発明は、ガスの移動が行われる通管が一体型の中空パイプ形態で成形されることによって、通管に異物が付着することをあらかじめ防止し、ガス撃発時にガスの高圧にも堅固に耐えることができるという利点がある。
【図面の簡単な説明】
【００１８】
【図１】従来技術による便器用貫通装置を示す斜視図
【図２】本発明による便器パージング装置を一方向で示す斜視図
【図３ａ】本発明の一実施例によって図２の“Ａ−Ａ”線に沿う切欠斜視図
【図３ｂ】図３ａの“Ａ”部を拡大して示す拡大図
【図４】図２の“Ｂ−Ｂ”線に沿う切欠斜視図
【図５】本発明による便器パージング装置を他方向で示す斜視図
【図６】図５の便器パージング装置を分解して示す分解斜視図
【図７ａ】図５の便器パージング装置において撃発ユニットを拡大して示す斜視図
【図７ｂ】図５の便器パージング装置において撃発ユニットを拡大して示す斜視図
【図８】本発明の他の実施例によって図２の“Ａ−Ａ” 線に沿う切欠斜視図
【発明を実施するための形態】
【００１９】
各図面の構成要素に参照符号を付加するに際して、同一の構成要素に対しては、たとえ他の図面上に表示されても、できるだけ同一の符号を有するようにしている。また、本発明を説明するにあたって、関連した公知構成または機能に対する具体的な説明が本発明の要旨を不明にすることができると判断される場合には、その詳細な説明を省略する。
【００２０】
添付の図面に基づいて本発明の実施例を詳しく説明する。
図２は、本発明による便器パージング装置を一方向で示す斜視図であり、図３ａは、本発明の一実施例によって図２の“Ａ−Ａ”線に沿う切欠斜視図であり、図３ｂは、図３ａの“Ａ”部を拡大して示す拡大図であり、図４は、図２の“Ｂ−Ｂ”線に沿う切欠斜視図である。
【００２１】
図２〜４に示されたように、本発明の一実施例による便器パージング装置は、通管１００、撃発ユニット２００、締め付けキャップ３００及び密着具４００を含む構成であって、締め付けキャップ３００を回転させて、撃発準備状態を維持した状態で、密着具４００を便器の詰まった配水管に挿入した後、撃発ユニット２００のスイチング作動を通じてガスが密着具４００に噴射されるようにする。
【００２２】
これを具現するために、通管１００は、内部にガス流路が貫通するように形成される中空のパイプ形態で構成され、押出成形過程を通じて製造される。これにより、製品製作が容易に行われ、通管１００に異物が付着することをあらかじめ防止することができ、ガス撃発時に発生した高圧力にも耐えることができる耐久性を有することができる。
【００２３】
このような通管１００は、配水管の曲率形態に対応する屈曲形態よりなり、これにより、便器の配水管に対する通管１００の挿入時に、通管１００が便器の配水管に容易に挿入されることができる。この通管１００の上端には、上部リング部材１２０ａ及び下部リング部材１２０ｂを挟んで撃発ユニット２００が組み込まれる。
【００２４】
撃発ユニット２００は、撃発準備状態で押圧作動を通じて最終的なガスの噴射が行われるようにする構成であって、上端の内側にガス容器５００が挿入される保持溝部２３０が形成され、上端の外周縁に雄ねじ山部２０３が螺旋形態で形成され、内部に保持溝部２３０に連通するガス流路２０２が長さ方向に延長形成される。
【００２５】
特に、撃発ユニット２００の保持溝部２３０には、高圧ガスが充填されるガス容器５００が挿入され、雄ねじ山部２０３には、締め付けキャップ３００の雌ねじ山部３０１が螺着され、ガス流路２０２には、係止バー２１１が垂直するように結合された撃発ピン２１０が長さ方向に移動可能に設置され、撃発ピン２１０は、撃発復元スプリングＲＳを通じて撃発ユニット２００の内部に形成された支持部材２５０に弾性的に支持される。
【００２６】
すなわち、ガス噴射時に撃発ピン２１０の移動によって撃発復元スプリングＲＳが圧縮され、ガス噴射が完了すれば、撃発復元スプリングＲＳが元の状態に復元されながら、撃発ピン２１０を元の位置に復帰させるものである。
【００２７】
これにより、締め付けキャップ３００を正方向（時計方向）に回転させれば、締め付けキャップ３００の雌ねじ山部３０１は、撃発ユニット２００の雄ねじ山部２０３に沿って正方向に回転しながら通管１００側に前進するようになり、これと同時に、締め付けキャップ３００は、ガス容器５００をプッシュし、ガス容器５００の噴射口５１０が撃発ピン２１０によって貫通するようにして、撃発準備状態が完了する。この際、撃発ピン２１０は、係止バー２１１によって第１撃発流路２０１ａに停止された状態を維持する。
【００２８】
撃発ユニット２００の一側には、スイッチ片２２０を介在してカバーブラケット１１０が装着される。そして、撃発ユニット２００の他側には、スイッチ片２２０の押圧作動時に係止バー２１１を撃発ユニット２００の幅方向に案内する第１撃発流路２０１ａと、第１撃発流路２０１ａから移動した係止バー２１１を通管１００側に案内するために第１撃発流路２０１ａに“Ｌ”字状に折り曲げられるように連結される第２撃発流路２０１ｂが形成される。
【００２９】
この際、スイッチ片２２０の一側部は、カバーブラケット１１０のスイッチホール１１１に突出するように配置され、スイッチ片２２０の他側部は、一端と他端に分岐され、このスイッチ片２２０の他側部の一端２２１は、係止バー２１１に支持されるように接触し、スイッチ片２２０の他側部の他端（図示せず）は、スイッチ復元スプリング（図示せず）を媒介で撃発ユニット２００に弾性連結される。
【００３０】
したがって、撃発準備が完了した状態で、スイッチ片２２０を押圧する場合、スイッチ片２２０の他側部の一端２２１は、第１撃発流路２０１ａに沿って移動するように係止バー２１１をプッシュし、第１撃発流路２０１ａに沿って撃発ユニット２００の幅方向に移動した係止バー２１１は、第２撃発流路２０１ｂに沿って通管１００側に移動することによって、ガスの撃発が行われる。
【００３１】
すなわち、ガス容器５００の噴射口５１０を塞いでいた撃発ピン２１０は、係止バー２１１が第２撃発流路２０１ｂに沿って通管１００側に移動することによって、ガス容器５００のガス圧によって撃発ユニット２００のガス流路２０２に沿って通管１００側に移動し、この際、ガス容器５００の噴射口５１０で噴出したガスは、通管１００を通じて密着具４００に噴射される。
【００３２】
図５は、本発明による便器パージング装置を他方向で示す斜視図であり、図６は、図５の便器パージング装置を分解して示す分解斜視図であり、図７ａ〜７ｂは、図５の便器パージング装置において撃発ユニットを拡大して示す斜視図である。
【００３３】
図５〜７に示されたように、撃発ユニット２００の上側には、締め付けキャップ３００が結合される。この締め付けキャップ３００は、締め付けカバー３００ａと締め付け栓３００ｂとで構成され、締め付け栓３００ｂの内周縁には、撃発ユニット２００の雄ねじ山部２０３と噛み合う雌ねじ山部３０１が形成される。
【００３４】
なお、撃発ユニット２００には、撃発ピン２１０に対するガス容器５００の密着時にこれをユーザに通知するためのランプ構造が提供される。
【００３５】
例えば、撃発ユニット２００には、スイッチ部６１０、ランプ部６２０及び電源回路部６３０が設けられ、このスイッチ部６１０は、当該先端が撃発ユニット２００の保持溝部２３０に突出するように設置され、撃発ピン２１０に対するガス容器５００の密着時にガス容器５００によって加圧され、ランプ部６２０は、電源印加時に点灯する構成であり、電源回路部６３０は、バッテリー６３１と回路基板６３２とで構成され、ガス容器５００によるスイッチ部６１０の加圧時にランプ部６２０に電源を供給する。
【００３６】
これにより、締め付けキャップ３００の回転によってガス容器５００が撃発ピン２１０に密着すれば、ガス容器５００がスイッチ部６１０の先端をプッシュするようになり、ガス容器５００によってスイッチ部６１０の先端がプッシュされれば、電源回路部６３０は、ランプ部６２０に電源を印加することによって、ランプ部６２０は点灯する。ユーザは、点灯したランプ部６２０を通じて本発明による便器パージング装置が撃発準備状態であることを確認することができる。
【００３７】
このような構成よりなる本発明の作動過程を説明すれば、次の通りである。
まず、密着具４００を便器の詰まった配水管に挿入し、締め付けキャップ３００を正方向（反時計方向）に回転し、締め付けキャップ３００を撃発ユニット２００から分離した状態で、ガス容器５００の噴射口５１０が通管１００側に向けるようにガス容器５００を撃発ユニット２００の保持溝部２３０に挿入する。
【００３８】
その後、締め付けキャップ３００を撃発ユニット２００に結合し、締め付けキャップ３００を正方向（時計方向）に回転させて、撃発準備状態を維持する。例えば、締め付けキャップ３００を正方向に回転させれば、締め付けキャップ３００の雌ねじ山部３０１は、撃発ユニット２００の雄ねじ山部２０３に沿って正方向に回転しながら通管１００側に前進するようになり、これと同時に、締め付けキャップ３００は、ガス容器５００をプッシュし、ガス容器５００の噴射口５１０が撃発ピン２１０によって貫通されるようにして、撃発準備状態が完了する。この際、スイッチ部６１０の先端は、ガス容器５００によってプッシュされながら、ランプ部６２０が点灯する。
【００３９】
このように撃発準備が完了した状態で、スイッチ片２２０を押圧する場合、スイッチ片２２０は、係止バー２１１をプッシュし、スイッチ片２２０によってプッシュされた係止バー２１１は、第１撃発流路２０１ａ及び第２撃発流路２０１ｂに沿って移動するようになり、この際、ガス容器５００の噴射口５１０を塞いでいた撃発ピン２１０が、係止バー２１１の移動に連動して通管１００側に移動することによって、ガス容器５００でガスの噴出が行われる。
【００４０】
ガス容器５００の噴射口５１０で噴出されたガスは、通管１００を通じて密着具４００に噴射されることによって、便器の詰まった配水管を清掃する。
【００４１】
図８は、本発明の他の実施例によって図２の“Ａ−Ａ”線に沿う切欠斜視図である。
【００４２】
図８に示されたように、本発明の他の実施例による便器パージング装置は、通管１００、撃発ユニット２００、締め付けキャップ３００、密着具４００及び誘導スプリング２４０を含んで構成されることができる。ここで、他の実施例による通管１００、撃発ユニット２００、締め付けキャップ３００、密着具４００の構成は、前述した一実施例による通管１００、撃発ユニット２００、締め付けキャップ３００、密着具４００構成と同一の構成なので、これに対する詳しい説明を省略する。
【００４３】
但し、誘導スプリング２４０は、スイッチ片２２０を押圧作動時に、撃発ピン２１０の係止バー２１１を第１撃発流路２０１ａから第２撃発流路２０１ｂに円滑に移動させるための”Ｚ”字状のスプリングであって、当該一側部が撃発ユニット２００に固定され、当該他側部に係止バー２１１が移動可能に拘束される。
【００４４】
すなわち、ガス噴射時に係止バー２１１は、第１撃発流路２０１ａ及び第２撃発流路２０１ｂが経路に移動するようになり、第１撃発流路２０１ａの移動時に誘導スプリング２４０が引っ張られ、第２撃発流路２０１ｂの移動時に撃発復元スプリング（図４参照）が圧縮されるので、それぞれ引っ張られ、圧縮される誘導スプリング２４０及び撃発復元スプリングには、復元力が蓄積される。
【００４５】
ガス噴射の完了時に撃発復元スプリングの復元力は、係止バー２１１を第２撃発流路２０１ｂに沿って復帰させるようになり、この状態で、誘導スプリング２４０は、係止バー２１１を第１撃発流路２０１ａに沿って移動させて、係止バー２１１を元の位置に移動させるようになる。
【００４６】
前述したように、本発明は、ガスの噴射前に撃発準備状態を維持した後、スイッチ動作を通じてガス噴射が行われる２段作動構造を具現することによって、ユーザは、ガス噴射時点を正確に予測した後、ガスを正確な地点に噴射することができ、ランプ部を通じてガスの噴射前である撃発準備状態を確認することができるので、排水口及び便器の詰まりを安全で且つ便利に貫通させることができるなどの優れた長所を有する。
【００４７】
以上、本発明を好ましい実施例を使用して詳しく説明したが、本発明の範囲は、特定の実施例に限定されるものではなく、添付の特許請求範囲によって解釈される。また、この技術分野における通常の知識を有する者なら、本発明の範囲を逸脱することなく、様々な修正と変形が可能である。
【符号の説明】
【００４８】
１００  通管
１１０  カバーブラケット
１１１  通管スイッチホール
１２０ａ  上部リング部材
１２０ｂ  下部リング部材
２００  撃発ユニット
２１０  撃発ピン
２２０  スイッチ片
２３０  保持溝部
２４０  誘導スプリング
３００  締め付けキャップ
３００ａ  締め付けカバー
３００ｂ  締め付け栓
４００  密着具
５００  ガス容器
６１０  ランプスイッチ部
６２０  ランプ部
６３０  電源回路部
６３１  バッテリー
６３２  回路基板
【図１】
0005819004.tif 000002
【図２】
0005819004.tif 000003
【図３ａ】
0005819004.tif 000004
【図３ｂ】
0005819004.tif 000005
【図４】
0005819004.tif 000006
【図５】
0005819004.tif 000007
【図６】
0005819004.tif 000008
【図７ａ】
0005819004.tif 000009
【図７ｂ】
0005819004.tif 000010
【図８】
0005819004.tif 000011